【手続補正書】
【提出日】平成15年12月10日(2003.12.10)
【手続補正１】
【補正対象書類名】明細書
【補正対象項目名】全文
【補正方法】変更
【補正の内容】
【発明の名称】リモートコントロールシステムおよびこれに用いるリモートコントロール送信機
【特許請求の範囲】
【請求項１】電子機器の遠隔操作を行うための赤外線信号を受信して電気信号に変換する受光ユニット、受光ユニットから出力される電気信号を解析して電子機器の遠隔操作に対応したリモートコントロール送信用データに変換する解析手段、装置全体を動作制御すると共にリモートコントロール送信用データを着脱可能な第一の不揮発性メモリに書き込む第一のマイクロコンピュータおよび第一の不揮発性メモリを着脱可能に装着させる第一の電気的接続手段を有するリモートコントロール信号解析・書込み装置と、第一の不揮発性メモリを装着させる第二の電気的接続手段、第二の電気的接続手段を介して第一の不揮発性メモリからリモートコントロール送信用データを読み出す第二のマイクロコンピュータ、第二のマイクロコンピュータの出力に従った赤外線信号を発生する赤外線信号出力手段および電子機器の遠隔操作に対応した複数の操作キーを有するリモートコントロール送信機からなるリモートコントロールシステム。
【請求項２】リモートコントロール信号解析・書込み装置内の、受光ユニットから出力される電気信号を解析して電子機器の遠隔操作に対応したリモートコントロール送信用データに変換する解析手段を第一のマイクロコンピュータ内に設けた請求項１記載のリモートコントロールシステム。
【請求項３】リモートコントロール送信機内の第二のマイクロコンピュータがリモートコントロール送信用データを保有する請求項１または２記載のリモートコントロールシステム。
【請求項４】リモートコントロール送信機内の第二の電気的接続手段が第一の不揮発性メモリを着脱可能とした請求項１〜３のいずれか一つに記載のリモートコントロールシステム。
【請求項５】リモートコントロール信号解析・書込み装置内に、各種メーカの各種機器の遠隔操作に対応したリモートコントロール送信用データがあらかじめ格納された第二の不揮発性メモリを設け、第一のマイクロコンピュータが、受光ユニットで受診された赤外線信号から変換された一部のリモートコントロール送信用データと第二の不揮発性メモリに格納されたリモートコントロール送信用データを比較し、一致するリモートコントロール送信用データおよびそのデータと所定の関係を有した全てのリモートコントロール送信用データを読み出して第一の不揮発性メモリに書き込むようにプログラムされた請求項１〜４のいずれか一つに記載のリモートコントロールシステム。
【請求項６】リモートコントロール送信機内の第二のマイクロコンピュータが不揮発性メモリを内蔵し、第二の電気的接続手段に装着された第一の不揮発性メモリの有するリモートコントロール送信用データを読み出して第二のマイクロコンピュータに内蔵された不揮発性メモリに格納する請求項１〜５のいずれか一つに記載のリモートコントロールシステム。
【請求項７】請求項１〜６のいずれか一つに記載のリモートコントロールシステムに適合するリモートコントロール送信機であって、リモートコントロール信号解析・書込み装置を用いてリモートコントロール送信用データが書き込まれた着脱自在な不揮発性メモリを備えたリモートコントロール送信機。
【発明の詳細な説明】
【０００１】
【発明の属する技術分野】
本発明は電子機器を遠隔操作するための赤外線リモートコントロール（以下リモコンという）の送信用データを扱うリモコンシステムおよびこれに用いるリモコン送信機に関するものである。
【０００２】
【従来の技術】
従来の赤外線リモコン送信機には多種多様なものが存在しているが、その中でも例えば電機メーカが自社ブランドのテレビ及びビデオ機器を一台のリモコン送信機で遠隔操作できるようにした統一形リモコン送信機のように、複数の電子機器を遠隔操作できるリモコン送信機が多く用いられるようになってきている。
【０００３】
このような複数の電子機器を遠隔操作できる統一形リモコン送信機には、例えばテレビとチューナ付きのビデオテープレコーダを遠隔操作するもののように、電源入切、選局用などの同一の操作機能を有する操作キーを共用なものとして備え、テレビを操作する場合とビデオテープレコーダを操作する場合とでは別に設けたテレビ／ビデオ切り換えスイッチなどを操作することにより、どちらかの機器を遠隔操作するための赤外線信号を発生させるように構成されている。
【０００４】
次にこのような従来の統一形リモコン送信機を回路図を用いて説明する。
【０００５】
図６は従来の統一形リモコン送信機の主要な部分の回路図であり、同図において、１は電源入切、選局用などの複数の操作キー、２は内部メモリに同じ電機メーカのテレビ及びビデオテープレコーダを遠隔操作するための二組のリモコン送信用データを保有しているマイクロコンピュータ（以下マイコンという）、３はマイコン２から出力される制御信号を赤外線信号に変換して送信する赤外ＬＥＤ４は赤外ＬＥＤ３の駆動用トランジスタ、５は赤外ＬＥＤ３に直列に接続された電流制御用抵抗、６はマイコン２の制御信号を駆動用トランジスタ４に伝えるベース抵抗、７は基準信号を発生するセラミック発振器、８はテレビあるいはビデオテープレコーダのどちらを遠隔操作するかによってマイコン２から取り出すリモコン送信用データを切り換えるテレビ／ビデオ切り換えスイッチ、９は各部へ電源を供給する電池である。
【０００６】
次に、この様な統一形リモコン送信機の動作について説明する。
【０００７】
まず、テレビを操作する場合には、テレビ／ビデオ切り換えスイッチ８をテレビ側にセットして操作キー１のいずれかを押圧すると、マイコン２に接続されているセラミック発振器７が発振して基準信号を発生すると共に、マイコン２が動作して、マイコン２内に保有しているテレビの遠隔操作を行わせるリモコン送信用データに基づいて操作キー１の押圧されたキーに対応した制御信号を発生する。
【０００８】
そして、マイコン２から送出された制御信号はベース抵抗６を介して駆動用トランジスタ４に入力され、増幅されて赤外ＬＥＤ３を駆動することにより、制御信号に応じた電流が電流制限用抵抗５を介して流れ、赤外ＬＥＤ３を点滅させて赤外線信号を送信させて、テレビの動作を制御できるものである。
【０００９】
また、ビデオテープレコーダを操作する場合には、テレビ／ビデオ切り換えスイッチ８をビデオ側にセットすれば、上記と同様に動作させて、ビデオテープレコーダの動作を制御でき、これによりテレビおよびビデオテープレコーダの遠隔操作を一台の統一形リモコン送信機で行うことができるものであった。
【００１０】
【発明が解決しようとする課題】
しかしながら上記従来の統一形リモコン送信機を用いた電子機器の遠隔操作において、対象のテレビまたはビデオ機器の少なくともどちらかを他のメーカのものに取り換えたり、あるいは新しい電子機器を追加する場合は、マイコン２に保有されたリモコン送信用データと取り換えられた電子機器を遠隔操作するためのリモコン送信用データが一致していないことが多く、また追加された電子機器のリモコン送信用データはマイコン２に保有されていないので、上記の統一形リモコン送信機では取り換えられたテレビまたはビデオ機器あるいは追加された電子機器の遠隔操作をすることができないものであった。
【００１１】
本発明は、このような従来の課題を解決するものであり、取り換えられたり、新しく追加された所望の電子機器のリモコン送信用データを、リモコン送信機に容易にプログラムすることができるリモコンシステムおよびこれに用いるリモコン送信機を提供することを目的とする。
【００１２】
【課題を解決するための手段】
上記課題を解決するために本発明のリモコンシステムは、リモコン送信機で新たに遠隔操作しようとする電子機器に付帯された専用リモコン送信機の発する赤外線信号を取り込んでリモコン送信用データに変換し、着脱可能に装着された不揮発性メモリに書き込むようにしたリモコン信号解析・書込み装置と、前記不揮発性メモリを着脱可能に装着させるメモリソケットを有し、リモコン送信機内のマイコンが不揮発性メモリのリモコン送信用データを読み出すようにしたリモコン送信機で構成するものである。
【００１３】
これにより、取り換えられたり、新しく追加された所望の電子機器のリモコン送信用データを、リモコン送信機に容易にプログラムして、当初から保有されているリモコン送信用データに加えることができるリモコンシステムを実現することができる。
【００１４】
【発明の実施の形態】
本発明の請求項１に記載の発明は、電子機器の遠隔操作を行うための赤外線信号を受信して電気信号に変換する受光ユニット、受光ユニットから出力される電気信号を解析して電子機器の遠隔操作に対応したリモコン送信用データに変換する解析手段、装置全体を動作制御すると共にリモコン送信用データを着脱可能な第一の不揮発性メモリに書き込む第一のマイコンおよび第一の不揮発性メモリを着脱可能に装着させる第一の電気的接続手段を有するリモコン信号解析・書込み装置と、第一の不揮発性メモリを装着させる第二の電気的接続手段、第二の電気的接続手段を介して第一の不揮発性メモリからリモコン送信用データを読み出す第二のマイコン、第二のマイコンの出力に従った赤外線信号を発生する赤外線信号出力手段および電子機器の遠隔操作に対応した複数の操作キーを有するリモコン送信機からなるリモコンシステムとしたものであり、使用する電子機器の取り換えや追加の際にその新しい電子機器の遠隔操作に対応したリモコン送信用データを第一の不揮発性メモリに容易に書き込むことができ、その第一の不揮発性メモリをリモコン送信機に装着して取り換えや追加された電子機器を遠隔操作できるもので、一台のリモコン送信機で、第一の不揮発性メモリの許容範囲で複数台の、リモコン送信用データの形式が異なる各種メーカの各種電子機器を遠隔操作可能なものとすることができるという作用を有する。
【００１５】
請求項２に記載の発明は、請求項１記載の発明において、リモコン信号解析・書込み装置内の、受光ユニットから出力される電気信号を解析して電子機器の遠隔操作に対応したリモコン送信用データに変換する解析手段を第一のマイコン内に設けたものであり、リモコン信号解析・書込み装置を簡素で安価なものとすることができるという作用を有する。
【００１６】
請求項３に記載の発明は、請求項１または２記載の発明において、リモコン送信機内の第二のマイコンがリモコン送信用データを保有するものであり、製作当初に設定されたリモコン送信用データに対応した電子機器を遠隔操作することができるという作用を有する。
【００１７】
請求項４に記載の発明は、請求項１〜３のいずれか一つに記載の発明において、リモコン送信機内の第二の電気的接続手段が第一不揮発性メモリを着脱可能としたものであり、リモコン送信機への第一の不揮発性メモリの着脱が容易であると共に、第一の不揮発性メモリの許容範囲内で何度もリモコン送信用データを更新することができるという作用を有する。
【００１８】
請求項５に記載の発明は、請求項１〜４のいずれか一つに記載の発明において、リモートコントロール信号解析・書込み装置内に、各種メーカの各種機器の遠隔操作に対応したリモコン送信用データがあらかじめ格納された第二の不揮発性メモリを設け、第一のマイコンが、受光ユニットで受診された赤外線信号から変換された一部のリモコン送信用データと第二の不揮発性メモリに格納されたリモコン送信用データを比較し、一致するリモコン送信用データおよびそのデータと所定の関係を有した全てのリモコン送信用データを読み出して第一の不揮発性メモリに書き込むようにプログラムされたものであり、変更や追加された電子機器の遠隔操作に対応したリモコン送信用データの一部を認識して、必要なリモコン送信用データの全てを第二の不揮発性メモリから読み出すことができ、第一の不揮発性メモリへのリモコン送信用データの書込み作用時間を短くすることができるという作用を有する。
【００１９】
請求項６に記載の発明は、請求項１〜５のいずれか一つに記載の発明において、リモコン送信機内の第二のマイコンが不揮発性メモリを内蔵し、第二の電気的接続手段に装着された第一の不揮発性メモリの有するリモコン送信用データを読み出して第二のマイコンに内蔵された不揮発性メモリに格納するものであり、リモコン送信機の使用時に、第一の不揮発性メモリを装着しておく必要がなく、新しい電子機器のリモコン送信用データの書き込みには販売店などに保有されているものなどを用いることができるので、リモコン送信機を安価なものとすることができるという作用を有する。
【００２０】
請求項７に記載の発明は、請求項１〜６のいずれか一つに記載のリモコンシステムに適合するリモコン送信機であって、リモコン信号解析・書込み装置を用いてリモコン送信用データが書き込まれた着脱自在な不揮発性メモリを備えたリモコン送信機としたものであり、複数台の各種メーカの各種電子機器を遠隔操作可能なリモコン送信機を提供することができるという作用を有する。
【００２１】
以下、本発明の実施の形態について、図面を用いて説明する。
【００２２】
（実施の形態１）
図１は本発明の第１の実施の形態によるリモコンシステムの概念図であり、同図において１１はリモコン信号解析・書込み装置、２１は本システムに対応したリモコン送信機、４１は電子機器に付帯された専用リモコン送信機である。
【００２３】
そして、リモコン信号解析・書込み装置１１は図２のリモコン送信用データの不揮発性メモリへの書込み動作を説明する概念図に示すように、ＰＩＮフォトダイオード１２、抵抗１３、増幅器１４などからなり、赤外線信号を受信して電気信号に変換する受光ユニット１５と、ＩＣ等からなり、受光ユニット１５から出力される電気信号を解析して電子機器の遠隔操作に対応したリモコン送信用データに変換する解析手段１６と、装置全体を動作制御すると共に、解析手段１６で得られたリモコン送信用データを第一の不揮発性メモリ１７に書き込む第一のマイコン１８と、第一のマイコン１８に接続され、第一の不揮発性メモリ１７を外部より着脱可能に装着させる第一のメモリソケット１９から構成されている。
【００２４】
また、本システムに対応したリモコン送信機２１は図３の回路図に示すように、電源入切、選局用などの複数の操作キー２２と、同一メーカのテレビおよびビデオテープレコーダなどを遠隔操作するための二組のリモコン送信用データを保有すると共に、送信機全体を動作制御する第二のマイコン２３と、第一の不揮発性メモリ１７を外部から着脱可能に装着させると共に、第二のマイコン２３に接続された第二のメモリソケット２４と、第二のマイコン２３から出力される制御信号を赤外線信号に変換して送信する赤外ＬＥＤ２５と、赤外ＬＥＤ２５の駆動用トランジスタ２６と、赤外ＬＥＤ２５に直列に接続された電流制限用抵抗２７と、第二のマイコン２３から出力される制御信号を駆動用トランジスタ２６に伝えるベース抵抗２８と、基準信号を発生するセラミック発振器２９と、第二のマイコン２３から取り出すリモコン送信用データを切り換えるテレビ／ビデオ／ＡＵＸなどの切り換えスイッチ３０と、各部へ電源を供給する電池３１から構成されている。
【００２５】
次に、このように構成されたリモコンシステムの動作について、ユーザが一台のリモコン送信機２１を用いて遠隔操作していた同一メーカのテレビおよびビデオテープレコーダの内のテレビを他のメーカのものに取り換えた場合を例に説明すると、本実施の形態によるリモコン信号解析・書込み装置１１を備えた販売店あるいはサービス店において、リモコン送信機２１に予め装着されているか、あるいは別に用意された第一の不揮発性メモリ１７を、図２に示すようにリモコン信号解析・書込み装置１１の第一のメモリソケット１９に装着し、取り換えられた新しいテレビに付帯された専用リモコン送信機４１の操作キー４２の一つを押圧操作すると、専用リモコン送信機４１から赤外線信号が発せられ、この赤外線信号をリモコン信号解析・書込み装置１１の受光ユニット１５に設けたＰＩＮフォトダイオード１２が受信して電気信号に変換し、増幅器１４が増幅して解析手段１６へ出力する。
【００２６】
そして、解析手段１６がこの電気信号を解析してリモコン送信用データに変換し、第一のマイコン１８に入力すると、第一のマイコン１８はそのリモコン送信用データを第一のメモリソケット１９に装着された第一の不揮発性メモリ１７に書き込んで格納させる。
【００２７】
この後、専用リモコン送信機４１の操作キー４２の一つひとつについて順次押圧操作を繰り返すことにより、新しいテレビの遠隔操作に必要な全てのリモコン送信用データを第一の不揮発性メモリ１７に書き込んでリモコン送信用データの格納を終了する。
【００２８】
次に、第一の不揮発性メモリ１７をリモコン信号解析・書込み装置１１の第一のメモリソケット１９から取り外して、図３に示すようにリモコン送信機２１に設けた第二のメモリソケット２４に装着することによって、このリモコン送信機２１が新しいテレビの遠隔操作に対応したものとなり、このリモコン送信機２１の動作について説明すると、テレビ/ビデオ/ＡＵＸなどの切り換えスイッチ３０がテレビ側にセットされている時には、操作キー２２の押圧操作によって第二のマイコン２３が第二のメモリソケット２４に装着された第一の不揮発性メモリ１７から、押圧されたキーに対応したリモコン送信用データを取り出して制御信号を出力し、駆動用トランジスタ２６を介して赤外ＬＥＤ２５からテレビの遠隔操作を行わせる赤外線信号を発信させるものである。
【００２９】
また、テレビ／ビデオ／ＡＵＸなどの切り換えスイッチ３０がビデオ側にセットされている時には、第二のマイコン２３に当初から保有されているビデオテープレコーダを遠隔操作するためのリモコン送信用データに基づいて赤外線信号が発信されることは従来の技術の項で説明した動作と同様である。
【００３０】
以上のように、本実施の形態によれば、使用する電子機器の取り換えの際にその電子機器の遠隔操作に対応したリモコン送信用データを第一の不揮発性メモリ１７に容易に書き込むことができ、その第一の不揮発性メモリ１７をリモコン送信機２１に装着することによって、当初から使用されている電子機器に加えて、取り換えられた新しい電子機器を遠隔操作できるもので、複数のリモコン送信用データの形式が異なる各種メーカの各種電子機器を遠隔操作可能なものとすることができ、また、新しい別の電子機器を加えて遠隔操作可能にするために、リモコン送信機２１内の第二のメモリソケットから第一の不揮発性メモリ１７を取り外し、新しい電子機器の遠隔操作に対応したリモコン送信用データを第一の不揮発性メモリ１７の許容範囲内で繰り返し書き込むことができる。
【００３１】
したがって、このリモコン信号解析・書込み装置は、電子機器の販売店やメーカのサービス店に保有され、新しい電子機器を入手したユーザの依頼により、既に使用していたリモコン送信機に、新しい電子機器に対応したリモコン送信用データを入力する等の使い方ができるものである。
【００３２】
なお、上記の説明では、リモコン信号解析・書込み装置１１内に設けた電気信号の解析手段１６を一つの回路ブロックのものとして説明したが、第一のマイコン１８の中にこの解析手段１６と同様の機能を有するプログラムを持たせることによってリモコン信号解析・書込み装置を簡素で安価なものとすることができる。
【００３３】
（実施の形態２）
図４は本発明の第２の実施の形態によるリモコンシステムのリモコン信号解析・書込み装置５１を用いたリモコン送信用データの不揮発性メモリへの書込み動作を説明する概念図であり、第１の実施の形態によるものに対して、リモコン信号解析・書込み装置５１に第二の不揮発性メモリ５２が装着され、第一のマイコン１８に接続されている。
【００３４】
そして、この第二の不揮発性メモリ５２には予め、市場に普及している主な電機メーカの各種電子機器を遠隔操作するためのリモコン送信用データが書き込まれて格納されており、第一のマイコン１８は第二の不揮発性メモリ５２から所望のリモコン送信用データを読み出すためのプログラムが加えられている。
【００３５】
次に、このように構成されたリモコン信号解析・書込み装置５１の動作について説明すると、第１の実施の形態の中で説明した新しい電子機器に付帯された専用リモコン送信機４１の操作キー４２の少なくともいずれか一つが押圧操作されて赤外線信号が発せられ、リモコン信号解析・書込み装置５１の受光ユニット１５が赤外線信号を電気信号に変換し、解析手段１６が電気信号をリモコン送信用データに変換して第一のマイコン１８に入力することは第１の実施の形態の場合と同じであるが、第一のマイコン１８は入力されたリモコン送信用データと、第二の不揮発性メモリ５２に格納されたリモコン送信用データを比較し、一致するデータが格納されている場合には、上記の専用リモコン送信機４１の有する全てのリモコン送信用データと同一のデータを第二の不揮発性メモリ５２から読み出して、第一のメモリソケット１９に装着された第一の不揮発性メモリ１７に書き込んで格納させるものである。
【００３６】
そして、この第一の不揮発性メモリ１７を第一のメモリソケット１９から取り外して、図３に示したリモコン送信機２１の第二のメモリソケット２４に装着することにより、第１の実施の形態によるものと同様に、当初から使用されている電子機器に加えて、取り換えられた電子機器を遠隔操作できるもので、複数のリモコン送信用データの形式が異なる各種メーカの各種電子機器を遠隔操作可能なものとすることができる。
【００３７】
そして、第一のマイコン１８に入力されたリモコン送信用データが、第二の不揮発性メモリ５２に格納されたリモコン送信用データの中のどのデータとも一致しない場合には、第１の実施の形態で説明した操作と同じ操作で、専用リモコン送信機４１の全てのリモコン送信用データを第一の不揮発性メモリ１７に書き込んで格納させるものである。
【００３８】
本実施の形態によれば、専用リモコン送信機４１の一つの操作キーのみを押圧操作して、必要なリモコン送信用データの全てを第二の不揮発性メモリ５２から読み出すことができ、第一の不揮発性メモリ１７へのリモコン送信用データの書込み作業時間を短くすることができると共に、必要なデータの書込み漏れを防ぐことができる。
【００３９】
（実施の形態３）
図５は本発明の第３の実施の形態によるリモコンシステムに用いられるリモコン送信機６１の回路図であり、第１の実施の形態によるものに対して、リモコン送信機６１の第二のマイコン２３に不揮発性メモリ６２が内蔵され、この第二のマイコン２３には、第二のメモリソケット２４に装着された第一の不揮発性メモリ１７の有するリモコン送信用データを読み出して、内蔵している不揮発性メモリ６２に格納するプログラムが加えられている。
【００４０】
したがって、このリモコン送信機６１の動作は、新しい電子機器のリモコン送信用データが格納された第一の不揮発性メモリ１７が第二のメモリソケット２４に装着された時、第二のマイコン２３がリモコン送信用データを第一の不揮発性メモリ１７から読み出して内蔵の不揮発性メモリ６２に格納し、その後は第一の不揮発性メモリ１７が第二のメモリソケットから取り外された状態で、前記第１の実施の形態で説明したものと同様に電子機器の遠隔操作を行わせることができる。
【００４１】
本実施の形態によれば、リモコン送信機６１の使用時に、第一の不揮発性メモリ１７を装着しておく必要がなく、新しい電子機器のリモコン送信用データの書き込みには販売店などに保有されているものなどを用いることができるので、リモコン送信機６１を安価なものとすることができる。
【００４２】
【発明の効果】
以上のように本発明によれば、電子機器を遠隔操作するためのリモコン送信機に着脱可能な不揮発性メモリが装着され、使用する電子機器の取り換えや追加の際にその新しい電子機器の遠隔操作に対応したリモコン送信用データを不揮発性メモリに容易に追加して書き込むことができ、一台のリモコン送信機を、不揮発性メモリの許容範囲内で複数台の、リモコン送信用データの形式が異なる各種メーカの各種電子機器を遠隔操作可能なものとすることができるという有利な効果が得られる。
【図面の簡単な説明】
【図１】本発明の第１の実施の形態によるリモートコントロールシステムの概念図
【図２】同要部であるリモートコントロール信号解析・書込み装置によるリモートコントロール送信用データの不揮発性メモリへの書込み動作を説明する概念図
【図３】同要部であるリモートコントロール送信機の回路図
【図４】本発明の第２の実施の形態によるリモートコントロールシステムのリモートコントロール信号解析・書込み装置を用いたリモートコントロール送信用データの不揮発性メモリへの書込み動作を説明する概念図
【図５】本発明の第３の実施の形態によるリモートコントロールシステムの要部であるリモートコントロール送信機の回路図
【図６】従来のリモートコントロール送信機の回路図
【符号の説明】
１１、５１  リモートコントロール信号解析・書込み装置
１２  ＰＩＮフォトダイオード
１３  抵抗
１４  増幅器
１５  受光ユニット
１６  解析手段
１７  第一の不揮発性メモリ
１８  第一のマイクロコンピュータ
１９  第一のメモリソケット
２１、６１  リモートコントロール送信機
２２、４２  操作キー
２３  第二のマイクロコンピュータ
２４  第二のメモリソケット
２５  赤外ＬＥＤ
２６  駆動用トランジスタ
２７  電流制限用抵抗
２８  ベース抵抗
２９  セラミック発振器
３０  切り換えスイッチ
３１  電池
４１  専用リモートコントロール送信機
５２  第二の不揮発性メモリ
６２  マイクロコンピュータ内蔵不揮発性メモリ